(57)【要約】【課題】色の重なりの視覚的効果が確認される編集画面を備えた情報処理装置、および情報処理プログラムを提供すること。【解決手段】画像を表示する表示手段と、色に関する情報を提示する色提示部、色提示部から選択された色に関する情報の積層構造を表示する積層表示部、処理対象画像を表示手段に表示させる対象表示部、および対象表示部に表示された処理対象画像の指定された領域に積層構造を対応付ける対応表示部を表示手段に表示させる処理手段と、を含む。【選択図】図２
2019083398.tif 000002
【特許請求の範囲】
【請求項１】
画像を表示する表示手段と、
色に関する情報を提示する色提示部、および前記色提示部から選択された色に関する情報の積層構造を表示する積層表示部を前記表示手段に表示させる処理手段と、を含む
情報処理装置。
【請求項２】
前記処理手段は、処理対象画像を前記表示手段に表示させる対象表示部、および前記対象表示部に表示された前記処理対象画像の指定された領域に前記積層構造を対応付ける対応表示部を前記表示手段にさらに表示させる
請求項１に記載の情報処理装置。
【請求項３】
情報を記憶させる記憶手段をさらに含み、
前記処理手段は、予め作成された積層構造、または前記指定された領域と前記指定された領域に対応付けられた前記積層構造を関連付けて前記記憶手段に記憶させる
請求項２に記載の情報処理装置。
【請求項４】
前記処理手段は、前記対象表示部に表示された前記処理対象画像の指定された領域の前記積層構造を前記積層表示部にさらに表示させる
請求項２または請求項３に記載の情報処理装置。
【請求項５】
前記処理対象画像は色材により記録媒体に形成される画像であり、
前記積層構造は、下層側から順に有色色材層、特色色材層である
請求項２から請求項４のいずれか１項に記載の情報処理装置。
【請求項６】
前記積層構造は、前記有色色材層の下層に白色色材層をさらに含む
請求項５に記載の情報処理装置。
【請求項７】
前記積層構造は、前記白色色材層の下層に記録媒体の種類を指定する記録媒体層をさらに含む
請求項６に記載の情報処理装置。
【請求項８】
前記処理手段は、前記積層構造を構成する各層ごとに前記色提示部を前記表示手段に表示させる
請求項１から請求項７のいずれか１項に記載の情報処理装置。
【請求項９】
コンピュータを、
請求項１から請求項８のいずれか１項に記載の情報処理装置の処理手段
として機能させるための情報処理プログラム。
【発明の詳細な説明】
【技術分野】
【０００１】
本発明は、情報処理装置、および情報処理プログラムに関する。
【背景技術】
【０００２】
特許文献１には、プルーフ画像を出力する出力デバイスにおける印刷画像の再現方式のうち、特色の再現方式を記述した付加画像を表す付加画像データを生成して、プルーフ画像を表すプルーフ画像データおよび付加画像データを出力デバイスへ向けて出力する画像処理装置が開示されている。特許文献１では、上記構成により、出力デバイスで出力された付加画像を確認することで、プルーフ画像の特色の再現方法を識別することができるとしている。
【０００３】
特許文献２には、有色の有色トナーおよび無色のクリアトナーがそれぞれ１以上搭載され、有色トナーを付着させるための有色版データとクリアトナーを付着させるためのクリアトナー版データとに基づいて記録媒体に画像を形成する印刷装置を制御する印刷制御装置であって、記録媒体に付与する視覚的または触覚的な効果である表面効果の種類と表面効果を付与する記録媒体における領域を特定するための光沢制御値が指定された光沢制御版データと、表面効果以外の透明画像を特定する濃度値が指定されたクリア版データとに基づいて、クリアトナー版データを生成する生成部と、生成されたクリアトナー版データを出力する出力部と、を備え、生成部は、光沢制御版データに光沢制御値が指定された領域と、クリア版データで濃度値が指定された領域との重なり範囲がある場合には、重なり範囲のクリアトナー版データに、光沢制御版データで指定された光沢制御値を設定することを特徴とする印刷制御装置が開示されている。
【０００４】
特許文献３には、印刷すべきカラー画像データに基づいてカラー印刷を行なうカラー印刷方法であって、カラー画像データに基づく印刷イメージを表示手段にプリビューとして表示させ、プリビューされた印刷イメージに対して印刷目的に対応した印刷内容を指定し、印刷内容を指定されたカラー画像データに基づいてカラー印刷を行なうことを特徴とするカラー印刷方法が開示されている。
【先行技術文献】
【特許文献】
【０００５】
【特許文献１】特許２００４−０７４４９８号公報
【特許文献２】特許第６１３２００４号公報
【特許文献３】特許２０００−０４７８４６号公報
【発明の概要】
【発明が解決しようとする課題】
【０００６】
本発明は、色の重なりの視覚的効果が確認される編集画面を備えた情報処理装置および情報処理プログラムを提供することを目的とする。
【課題を解決するための手段】
【０００７】
上記目的を達成するために、請求項１に記載の情報処理装置は、画像を表示する表示手段と、色に関する情報を提示する色提示部、および前記色提示部から選択された色に関する情報の積層構造を表示する積層表示部を前記表示手段に表示させる処理手段と、を含むものである。
【０００８】
また、請求項２に記載の発明は、請求項１に記載の発明において、前記処理手段は、処理対象画像を前記表示手段に表示させる対象表示部、および前記対象表示部に表示された前記処理対象画像の指定された領域に前記積層構造を対応付ける対応表示部を前記表示手段にさらに表示させるものである。
【０００９】
また、請求項３に記載の発明は、請求項２に記載の発明において、情報を記憶させる記憶手段をさらに含み、前記処理手段は、予め作成された積層構造、または前記指定された領域と前記指定された領域に対応付けられた前記積層構造を関連付けて前記記憶手段に記憶させるものである。
【００１０】
また、請求項４に記載の発明は、請求項２または請求項３に記載の発明において、前記処理手段は、前記対象表示部に表示された前記処理対象画像の指定された領域の前記積層構造を前記積層表示部にさらに表示させるものである。
【００１１】
また、請求項５に記載の発明は、請求項２から請求項４のいずれか１項に記載の発明において、前記処理対象画像は色材により記録媒体に形成される画像であり、前記積層構造は、下層側から順に有色色材層、特色色材層であるものである。
【００１２】
また、請求項６に記載の発明は、請求項５に記載の発明において、前記積層構造は、前記有色色材層の下層に白色色材層をさらに含むものである。
【００１３】
また、請求項７に記載の発明は、請求項６に記載の発明において、前記積層構造は、前記白色色材層の下層に記録媒体の種類を指定する記録媒体層をさらに含むものである。
【００１４】
また、請求項８に記載の発明は、請求項１から請求項７のいずれか１項に記載の発明において、前記処理手段は、前記積層構造を構成する各層ごとに前記色提示部を前記表示手段に表示させるものである。
【００１５】
上記目的を達成するために、請求項９に記載の情報処理プログラムは、コンピュータを、請求項１から請求項８のいずれか１項に記載の情報処理装置の処理手段として機能させるためのものである。
【発明の効果】
【００１６】
請求項１および請求項９に記載の発明によれば、色の重なりの視覚的効果が確認される編集画面を備えた情報処理装置、および情報処理プログラムが提供される、という効果が得られる。
【００１７】
請求項２に記載の発明によれば、対象表示部、および対応表示部を表示させない場合と比較して、対象画像の部分画像ごとに色の重なりの視覚的効果が確認される、という効果が得られる。
【００１８】
請求項３に記載の発明によれば、予め作成された積層構造、または指定された領域と指定された領域に対応付けられた積層構造を関連付けて記憶手段に記憶させない場合と比較して、積層構造の再利用がなされる、という効果が得られる。
【００１９】
請求項４に記載の発明によれば、対象表示部に表示された処理対象画像の指定された領域の積層構造を積層表示部に表示させない場合と比較して、色の重なりの視覚的効果を確認しながら対象画像の編集がなされる、という効果が得られる。
【００２０】
請求項５に記載の発明によれば、積層構造が、下層側から順に有色色材層、特色色材層とされていない場合と比較して、有色色材層の上層に特色色材層を重ねた場合の視覚的効果が確認される、という効果が得られる。
【００２１】
請求項６に記載の発明によれば、積層構造が、有色色材層の下層に白色色材層を含まない場合と比較して、白色色材層による下地の上層に配置された有色色材層の視覚的効果が確認される、という効果が得られる。
【００２２】
請求項７に記載の発明によれば、積層構造が、白色色材層の下層に記録媒体の種類を指定する記録媒体層を含まない場合と比較して、記録媒体の違いによる色の重なりの視覚的効果が確認される、という効果が得られる。
【００２３】
請求項８に記載の発明によれば、積層構造を構成する各層に対し共通の色提示部を表示手段に表示させる場合と比較して、色に関する情報の選択がより行いやすい、という効果が得られる。
【図面の簡単な説明】
【００２４】
【図１】実施の形態に係る情報処理装置の概略構成を示す機能ブロック図である。
【図２】実施の形態に係る表示部の画面構成を示す図である。
【図３】実施の形態に係る色に関する情報の積層構造の作成を説明する図である。
【図４】実施の形態に係る編集画面における積層構造の指定を説明する図である。
【図５】実施の形態に係る編集画像の積層構造の表示を説明する図である。
【発明を実施するための形態】
【００２５】
以下、図面を参照して、本発明を実施するための形態について詳細に説明する。
【００２６】
図１から図５を参照して、本実施の形態に係る情報処理装置、および情報処理プログラムについて説明する。
【００２７】
図１は、本実施の形態に係る情報処理装置１０の構成の一例を示している。図１に示すように、本実施の形態に係る情報処理装置１０は、制御部１２、表示部１４、操作部１６、記憶部１８を備えて構成されている。情報処理装置１０は、表示部１４に表示されるＵＩ（Ｕｓｅｒ  Ｉｎｎｔｅｒｆａｃｅ）を介して画像を編集する機能、特に編集処理の対象となる画像（以下、「対象画像」）の指定された領域における色に関する情報の積層構造を編集する機能を備えている。本実施の形態においては、対象画像の種類に特に制限はないが、一例として、トナーを用いた電子写真方式の画像形成装置で画像形成（印刷）される画像の場合を例示して説明する。
【００２８】
なお、本実施の形態に係る「色に関する情報」には、有彩色の色名のみならずクリアトナー等の特色、記録媒体の種類、色を配置しないという情報等も含まれている。また、本実施の形態に係る「積層構造」とは、画像情報を印刷情報に変換した際の印刷の色材の積層情報をいう。また、「トナー」は本発明に係る「色材」に相当する。他方、本発明は電子写真方式のみならず例えばインクジェット方式の画像形成装置にも適用されるので、本実施の形態に係る「色材」にはトナーのほかにインクジェット方式の「液滴（インク）」も含まれる。
【００２９】
制御部１２は、例えば汎用のＰＣ（Ｐｅｒｓｏｎａｌ  Ｃｏｍｐｕｔｅｒ）であり、図示を省略するＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびネットワークインタフェース等を含んで構成されている。ＣＰＵは、情報処理装置１０の全体を統括、制御し、ＲＯＭは、情報処理装置１０の制御プログラム等を予め記憶する記憶手段であり、ＲＡＭは、制御プログラム等のプログラムの実行時のワークエリア等として用いられる記憶手段である。
【００３０】
表示部１４は、主として、本実施の形態に係る情報処理を実行するためのＵＩである後述のパレット表示領域（ウインドウ）２２、積層構造表示領域（ウインドウ）２４、編集画面表示領域（ウインドウ）２６を表示する。表示部１４に特に制限はないが、例えば、液晶モニタ、ＣＲＴ（Ｃａｔｈｏｄｅ  Ｒａｙ  Ｔｕｂｅ）モニタ、ＦＰＤ（Ｆｌａｔ  Ｐａｎｅｌ  Ｄｉｓｐｌａｙ）モニタ等が用いられる。以下の説明では、パレット表示領域２２、積層構造表示領域２４、編集画面表示領域２６を総称して「表示領域」という場合がある。なお、パレット表示領域２２、積層構造表示領域２４、編集画面表示領域２６の各々が、本発明に係る「色提示部」、「積層表示部」、「対象表示部」に相当する。
【００３１】
操作部１６は、操作者（ユーザ）が表示領域を操作するための部位であり、例えばキーボードやポインティングデバイス（マウス、入力ペン等）から構成されている。
【００３２】
記憶部１８は、主として、表示領域で編集された後述の積層構造や、積層構造と関連付けられた対象画像を記憶する部位である。また、記憶部１８には情報処理装置１０の全体を制御するプログラムが記憶されている場合もある。記憶部１８に特に制限はないが、例えばＨＤＤ（ハードディスクドライブ）、ＣＤ−ＲＯＭ／Ｒ／ＲＷ、ＤＶＤ−ＲＯＭ／Ｒ／ＲＷ／ＲＡＭ等の外部記憶装置が用いられる。
【００３３】
図２は表示部１４の画面である表示部画面２０を示している。図２に示す表示部画面２０には、編集用画面（ＵＩ画面）の一例として、パレット表示領域２２、積層構造表示領域２４、および編集画面表示領域２６が表示されている。これらの表示領域は、マウス等を含む操作部１６によって操作される。
【００３４】
編集画面表示領域２６は、編集の対象である対象画像２８を表示する領域である。図２の例では、部分画像Ｇ１、Ｇ２、Ｇ３を含む対象画像２８が表示されている。上述したように、本実施の形態に係る対象画像２８は、一例としてトナーを用いた電子写真方式の画像形成装置で画像形成される画像である。
【００３５】
積層構造表示領域２４は、画像の編集に供する色に関する情報の積層構造３０を表示するウインドウである。例えばトナーを用いた画像形成装置では、複数のトナーを重ねて画像形成する（重ね刷りする）場合がある。積層構造表示領域２４は、その場合の色に関する情報の重なりの層構成を表示する。積層構造３０の層数に制限はないが、本実施の形態では、下層側から順に第０層、第１層、第２層、第３層の４層としている。以下の説明では、第０層、第１層、第２層、第３層の各々を「Ｌａｙ０」、「Ｌａｙ１」、「Ｌａｙ２」、「Ｌａｙ３」と表記する場合がある。各層の詳細については後述する。
【００３６】
パレット表示領域２２は、積層構造３０の各層について色に関する情報を選択するためのウインドウである。本実施の形態では、積層構造３０の各層ごとのパレット、すなわち、Ｌａｙ０パレット３２、Ｌａｙ１パレット３４、Ｌａｙ２パレット３６、Ｌａｙ３パレット３８を備えている。なお、本実施の形態では各層について個別にパレットを設ける形態を例示して説明するが、これに限られず、全部の層のパレットを１つにまとめて共通のパレットを表示する形態としてもよい。
【００３７】
ここで、例えば、画像形成装置による重ね刷りを含む画像の編集行う場合、ディスプレイに表示した当該画像はＲＧＢ表示のため、重ね刷りにおける積層色の違い、あるいは積層順の違いによる色の違いが提示されない。また、従来の色の選択方法は色見本を参照し、色番号を指定することが一般的であり、画像編集の画面に表示されている色に関する情報から選択するという発想はなかった。そのため、従来の編集画面では、重ね刷りによる視覚効果を確認しながらの編集が行なわれない。その結果、ユーザが刷り上りをイメージすることが困難であった。
【００３８】
一方、画像形成装置では、通常「プロセスカラー」と称されるＫ（ブラック）色、Ｃ（シアン）色、Ｍ（マゼンタ）色、Ｙ（イエロー）色、あるいはこれらの混合色によって画像形成するが、これ以外に、色に関するさまざまな効果を期待して「特色」と称される特別な色を用いる場合がある。特色としては、例えば金色、銀色、透明色（クリアカラー）、白色、蛍光色、パール色等が例示され、また特色に期待される効果として、光沢感、メタリック感、ざらつき感（凹凸感）、独特の色彩感等、すなわちいわゆる質感が例示される。しかしながら、従来の編集画面では、これらの質感が提示されない。そのため、従来の編集画面では、特色による質感の視覚効果を確認しながらの編集が行なわれない。その結果、ユーザが刷り上りをイメージすることが困難であった。
【００３９】
そこで、本発明では、編集画面において、色に関する情報の積層構造の編集がなされ、さらに対象画像の画像領域ごとに色に関する情報の積層構造が指定されるように構成した。このことにより、色の重なりの視覚的効果が確認される編集画面を備えた情報処理装置、および情報処理プログラムが提供される。
【００４０】
図２および図３を参照して、本実施の形態に係る積層構造３０についてより詳細に説明する。上述したように、積層構造３０は一例として４層の色に関する情報の指定層を有する。そして、本実施の形態では、積層構造３０の基本形態として、各層に対し以下のように色に関する情報の種別を割り当てている。
第０層（Ｌａｙ０）・・・記録媒体の種類
第１層（Ｌａｙ１）・・・下地色
第２層（Ｌａｙ２）・・・有彩色
第３層（Ｌａｙ３）・・・特色
【００４１】
第０層の記録媒体の種類とは、例えば、白色紙、黒色紙、コート紙、マット紙、ＯＨＰフイルム紙等が挙げられる。第１層は下地色の層であり、本実施の形態では一例として白色トナー、透明色トナーの層としている。下地色の白色トナーは、積層構造３０の一形態とてこの白色層の上に有色トナー等の各色が配置される場合を想定している。トナーそのものの色合いや、つや消し等の効果の有無等を考慮して、白色トナー層の選択枝を複数も受けてもよい。第２層は、有色トナー（Ｋ、Ｃ、Ｍ、Ｙ）、あるいはＲＧＢ色（以下、総称して「有彩色」という）の指定によって、対象画像に色を配置する層である。第３層は特色トナーの層であり、特色トナーには、例えば金色トナー、銀色トナー、クリアトナー（透明色トナー）、白色トナー等が含まれる。各特色トナーに対し、例えば反射効果の違い等を勘案して複数の選択枝を設けてもよい。なお、各層に割り当てる色に関する情報の種類はこれに限られず、実際に画像形成する画像に応じて変更してよい。また、色に関する情報の層数も４層に限られず、必要な数だけ配置してよい。
【００４２】
図３を参照して、積層構造３０の作成方法の一例について説明する。図３（ａ）〜（ｄ）の各々は、図２におけるパレット表示領域２２と積層構造表示領域２４を抜き出して示した図であり、Ｌａｙ１〜Ｌａｙ３の各層への色に関する情報の割当方法を示している。
【００４３】
まず、図３（ａ）に示すように、パレット表示領域２２に表示されたＬａｙ０パレット３２から記録媒体の種類をカーソルＫでダブルクリックして選択する。すると、積層構造表示領域２４の積層構造３０のＬａｙ０の部分に選択した記録媒体が表示される。本例のパレット表示領域２２では記録媒体の種類をパターン画像で示しているが、これに限られず記録媒体の種類の名称で表示してもよい。
【００４４】
次に、図３（ｂ）に示すように、パレット表示領域２２のＬａｙ１パレット３４から例えば白色トナーを選択し、積層構造表示領域２４に表示させる。同じ白色トナーでも、例えば異なる色合いの白色トナーの中から意図するものを選択する。もろん、白のベースを配置しない場合にはＬａｙ１は選択されない。
【００４５】
次に、図３（ｃ）に示すように、パレット表示領域２２のＬａｙ２パレット３６から有彩色選択し、積層構造表示領域２４に表示させる。
【００４６】
次に、図３（ｄ）に示すように、パレット表示領域２２のＬａｙ３パレット３８から例えばクリアトナーを選択し、積層構造表示領域２４に表示させる。同じクリアトナーでも、例えば異なる光沢効果を有するクリアトナーの中から意図するものを選択する。むろん、光沢をもたせたくない場合にはＬａｙ３は選択されない。
【００４７】
以上のようにして積層構造３０の各層に色に関する情報が割り当てられるが、割り当てられた情報は、（Ｌａｙ０、Ｌａｙ１、Ｌａｙ２、Ｌａｙ３）のような形式で記憶部１８等の記憶手段に記憶させてもよい。すなわち、（Ｌａｙ０、Ｌａｙ１、Ｌａｙ２、Ｌａｙ３）＝（白色紙、白色トナー、赤色、クリアトナー）のような形式で記憶させてもよい。
【００４８】
以上のようにして、操作部１６を介する操作によって、積層構造表示領域２４に積層構造３０が視覚的に生成される。生成した積層構造３０は、後の画像形成装置による画像形成に用いる等のために、記憶部１８等の記憶手段に保存しておいてもよい。その際、記録媒体によらない汎用的なデータとして再利用するために、積層構造３０の層のうちＬａｙ１のデータを除いて保存してもよい。この場合、例えば実際の印刷では記録媒体に応じてＬａｙ１にデータを追加した積層構造３０を用いる。また、逆に、Ｌａｙ１を含む積層構造３０の場合でも記録媒体に応じて、Ｌａｙ１を除去して実際の印刷に用いてもよい。なお、上記実施の形態では、Ｌａｙ０からＬａｙ３の各層のすべてに色に関する情報を割り当てる形態を例示して説明したが、これに限られず、色に関する情報が割り当てられな層があってもよい。
【００４９】
ここで、積層構造３０の具体例についてより詳細に説明する。黒色紙の上に白の下地を形成し、その上に有彩色を載せ、さらに光沢感をもたせたい場合は、（Ｌａｙ０、Ｌａｙ１、Ｌａｙ２、Ｌａｙ３）＝（黒色紙、白色トナー、赤色、クリアトナー）のように積層構造３０を作成する。この例の積層構造３０は、例えば白色トナーによって地の色を見せない場合に用いる。この際、記録媒体を指定しない場合は、（Ｌａｙ０、Ｌａｙ１、Ｌａｙ２、Ｌａｙ３）＝（０、白色トナー、赤色、クリアトナー）のように作成する。ただし、データ「０」は指定なしを意味する。また、（Ｌａｙ０、Ｌａｙ１、Ｌａｙ２、Ｌａｙ３）＝（０、０、０、白トナー）のように作成すると、最上層に白トナーが配置された積層構造３０となる。さらに、下地色に配させる白トナーを「Ｗ−」とし、最上層に配置させる白トナーを「Ｗ−」として区別してもよい。また、白色トナーを二度塗りする場合は、下層の白トナーを「ＷＬ」、上層の白トナーを「ＷＵ」のようにして区別してもよい。
さらに、記録媒体のみを指定したい場合には、（Ｌａｙ０、Ｌａｙ１、Ｌａｙ２、Ｌａｙ３）＝（黒色紙、０、０、０）のように積層構造３０を作成する。
【００５０】
さらに、積層構造３０によって、いわゆるメタリックカラーの指定も行われる。メタリックカラーとは、例えば金色トナーまたは銀色トナーの上層にＫ、Ｃ、Ｍ、Ｙトナーを形成させた鮮やかなメタリックカラー、例えばメタリックレッド等のことをいう。この場合の積層構造３０は、例えば、（Ｌａｙ０、Ｌａｙ１、Ｌａｙ２、Ｌａｙ３）＝（０、銀色トナー、赤色、０）のように指定すればよい。
【００５１】
図４および図５を参照して、対象画像２８の編集について説明する。図４は対象画像２８への積層構造３０の指定を、図５は対象画像２８からの積層構造３０の読み出しを、各々示している。
【００５２】
対象画像２８へ積層構造３０の指定においては、図４（ａ）に示すように、まず対象画像２８を編集画面表示領域２６に表示させる。本例における対象画像２８は部分画像Ｇ１、Ｇ２、およびＧ３から構成されており、これらの部分画像のうち本例で積層構造３０を指定するのは部分画像Ｇ１およびＧ２である。
【００５３】
一方、積層構造表示領域２４には、必要となる１つまたは複数（図４では１２個の場合を例示している）の積層構造３０を表示させる。この場合の積層構造３０は、そのつど図３に示す手順で作成してもよいし、記憶部１８に予め記憶されていた積層構造３０を読み出して積層構造表示領域２４に表示させてもよい。本例では、部分画像Ｇ１に積層構造３０−１を、部分画像Ｇ２に積層構造３０−２を指定する場合を例示している。なお、図４における編集画面表示領域２６および積層構造表示領域２４は、本発明に係る「対応表示部」に相当する。
【００５４】
次に、図４（ａ）に示すように、積層構造３０−１をカーソルＫによって指定し、部分画像Ｇ１にドラッグアンドドロップする。これにより対象画像２８の部分領域である部分画像Ｇ１に積層構造３０−１が指定される。
【００５５】
次に、図４（ｂ）に示すように、積層構造３０−２をカーソルＫによって指定し、部分画像Ｇ２にドラッグアンドドロップする。これにより対象画像２８の部分領域である部分画像Ｇ２に積層構造３０−２が指定される。
【００５６】
以上の操作によって対象画像２８の部分画像Ｇ１、Ｇ２に積層構造が指定される。つまり、例えば、部分画像Ｇ１の座標データと積層構造３０−１とが関連付けられる。積層構造３０−１と関連付けられた部分画像Ｇ１は、例えば記憶部１８等の記憶手段に記憶させてもよい。むろん、以上の操作をしていない部分画像Ｇ３の画像領域は元の画像データのままである。
【００５７】
次に、図５を参照して、図４で説明した操作によって積層構造３０が指定された対象画像２８からの積層構造３０の読み出しについて説明する。
【００５８】
まず、図５（ａ）に示すように、記憶部１８等の記憶手段から対象画像２８を読出し、編集画面表示領域２６に表示させる。
【００５９】
次に、部分画像Ｇ１の積層構造３０を表示させたい場合は、図５（ａ）に示すように、カーソルＫを部分画像Ｇ１に合わせる。このことによって積層構造表示領域２４に部分画像Ｇ１の積層構造３０−１が表示される。
【００６０】
一方、部分画像Ｇ２の積層構造３０を表示させたい場合は、図５（ｂ）に示すように、カーソルＫを部分画像Ｇ２に合わせる。このことによって積層構造表示領域２４に部分画像Ｇ１の積層構造が３０−２が表示される。
【００６１】
なお、画像形成装置の機種等によって特色の種類等が異なる場合がある。この場合は、特にパレット表示領域２２を異ならせた表示部画面２０を画像形成装置の機種ごとに作成し、記憶部１８等の記憶手段に記憶させておいてもよい。
【００６２】
また、上記実施の形態では、主にパターン画像によって色に関する情報をパレットに表示する場合を例示して説明したが、これに限られず、文字、記号等によって表示させてもよい。
【００６３】
また、上記実施の形態では、対象画像２８の部分画像について積層構造を指定する形態を例示して説明したが、これに限られず、光沢感、ざらつき感等に応じて記録媒体全体の積層構造を指定してもよい。
【００６４】
また、上記の各実施形態に係る情報処理装置によって行われる各処理は、コンピュータに実行させるためのプログラムとして記憶手段に記録して流通させるようにしてもよい。
【符号の説明】
【００６５】
１０    情報処理装置
１２    制御部
１４    表示部
１６    操作部
１８    記憶部
２０    表示部画面
２２    パレット表示領域
２４    積層構造表示領域
２６    編集画面表示領域
２８    対象画像
３０、３０−１、３０−２  積層構造
３２    Ｌａｙ０パレット
３４    Ｌａｙ１パレット
３６    Ｌａｙ２パレット
３８    Ｌａｙ３パレット
Ｇ１、Ｇ２、Ｇ３  部分画像
【図１】
2019083398.tif 000003
【図２】
2019083398.tif 000004
【図３】
2019083398.tif 000005
【図４】
2019083398.tif 000006
【図５】
2019083398.tif 000007